(57)【要約】【課題】  第１筐体と第２筐体とが着脱可能とされ、第１筐体に対して正規の第２筐体が接続した時に使用可能とする携帯通信端末を提供する。【解決手段】  第１筐体１は、サブ表示部３、入力部４、マイク５、サブスピーカ６、アンテナ７、基地局通信回路８、記憶部９、メイン制御部１０、充電池１１を備える。第２筐体２は、メイン表示部１２、カメラ１３、メインスピーカ１４、メモリ１５、サブ制御部１６を備える。この第１筐体１と第２筐体２とを接続したとき、メイン制御部１０が入力部４より入力されたパスワードとメモリ１５に保存されたパスワードを認証する。確認結果が一致した場合はカメラ１３の使用を許可し、不一致の場合はカメラ１３の使用を禁止する。【選択図】図３
2007235320.tif 000002
【特許請求の範囲】
【請求項１】
通信手段を有する第１筐体と、撮像手段を有する第２筐体とが着脱自在とされ、
一方の筐体は、情報を入力する入力手段を備え、
他方の筐体は、筐体固有の固有情報を保有し、
前記第１筐体と前記第２筐体とを接続したときに、前記入力手段からの入力情報と前記固有情報とに基づいて、前記撮像手段の動作を許可するか拒否するかを決定する決定手段が、２つの筐体のうちいずれか一方の筐体に設けられたことを特徴とする携帯通信端末。
【請求項２】
第１筐体に、入力手段および決定手段が設けられ、
第２筐体に、固有情報を記憶したメモリが設けられ、
前記決定手段は、前記第１筐体と前記第２筐体とを接続したとき、前記第２筐体から前記固有情報を取得して、入力情報と前記固有情報とが関連するかを判断し、
関連すると判断したときに、撮像手段の動作を許可することを特徴とする請求項１に記載の携帯通信端末。
【請求項３】
通信手段を有する第１筐体と、撮像手段を有する第２筐体とが着脱自在とされ、
前記第２筐体に、接触式あるいは非接触式のＩＣチップが設けられ、
前記ＩＣチップに、あらかじめ筐体固有の固有情報が入力され、
前記第１筐体と前記第２筐体とを接続したときに、前記固有情報に基づいて前記撮像手段の動作を許可するか拒否するかを決定する決定手段が、前記第１筐体に設けられたことを特徴とする携帯通信端末。
【請求項４】
第１筐体に、情報を入力する入力手段と、決定手段が動作を許可したときに前記入力手段からの入力情報を認証して、前記撮像手段を起動する起動手段とが設けられたことを特徴とする請求項３に記載の携帯通信端末。
【請求項５】
第１筐体に、サブ表示装置が設けられ、
第２筐体に、メイン表示装置が設けられ、
前記第１筐体と前記第２筐体とが接続しているとき、通信に関する情報は、前記メイン表示装置に表示され、
前記第１筐体を単独で使用しているとき、通信に関する情報は、前記サブ表示装置に表示されることを特徴とする請求項１〜４のいずれかに記載の携帯通信端末。
【請求項６】
第１筐体および第２筐体に、スピーカが設けられ、
前記第１筐体と前記第２筐体とが接続しているとき、前記第２筐体のスピーカから音声が出力され、
前記第１筐体を単独で使用しているとき、前記第１筐体のスピーカから音声が出力されることを特徴とする請求項１〜５のいずれかに記載の携帯通信端末。
【請求項７】
第１筐体に、電源が設けられ、
前記第１筐体と前記第２筐体とが接続しているとき、撮像手段を動作させるための電力が前記電源から供給されることを特徴とする請求項１〜６のいずれかに記載の携帯通信端末。
【請求項８】
第１筐体に、第２筐体を接続するための接続端子が設けられ、
前記接続端子は、外部の表示装置と接続可能とされたことを特徴とする請求項１〜７のいずれかに記載の携帯通信端末。
【発明の詳細な説明】
【技術分野】
【０００１】
本発明は、撮像手段を備えた携帯通信端末に関するものである。
【背景技術】
【０００２】
最近の携帯通信端末は、大半の機種に撮像手段であるカメラが備えられている。特に、携帯通信端末である携帯電話に備えられたカメラは、年々、画素数が高くなり、高性能化が進んでいる。そのため、個人情報保護や秘密保持等の観点から企業のオフィス、工場、あるいは、実験室等ではカメラ付携帯電話の持ち込みを禁止するところが増加している。今後も携帯電話に備えられたカメラの性能がさらに向上していくことを考えると、カメラ付携帯電話の持ち込みを禁止する場所は、益々増えることが予測される。
【０００３】
ところで、カメラ付携帯電話は、通常、携帯電話とカメラとが一体になっているため、カメラ部分だけを携帯電話本体から取り外して別に保管しておくことができない。そのため、カメラ付携帯電話の持ち込みが禁止されている場所に入る場合は、携帯電話を第三者に一時的に預けることになるので、その間の電話による連絡が取れなくなる問題がある。
【０００４】
また、携帯電話には、電話番号や住所録等の個人情報が記録されているものや、電子マネーによるキャッシング機能を有するＩＣチップが内蔵されているものがある。このような携帯電話を預ける場合、預け先である第三者側で個人情報の漏洩や盗難等を防止するためのセキュリティを強化する必要がある。
【０００５】
そこで、特許文献１には、携帯電話本体からカメラ部分だけを取り外せるカメラ付携帯電話が提案されている。このカメラ付携帯電話は、内蔵されたカメラを携帯電話の本体から取り外し可能とされ、カメラが取り外された携帯電話の本体だけで通話が可能とされている。
【特許文献１】特開２００４−１２２０５６
【発明の開示】
【発明が解決しようとする課題】
【０００６】
しかし、特許文献１は、取り外したカメラを使用してテレビ電話を実現することを目的としているため、取り外したカメラを第三者に預けることを想定していない。そのため、取り外したカメラを第三者の携帯電話に取り付けたとしても、何ら問題なくカメラが起動する。そのため、カメラに内蔵されたメモリから個人情報が漏洩する問題がある。
【０００７】
そこで、本発明では、通信手段を有する第１筐体と撮像手段を有する第２筐体とが着脱自在とされた携帯通信端末において、第２筐体を対となる第１筐体に接続したときにのみ、第２筐体が機能する携帯通信端末の提供を目的とする。
【課題を解決するための手段】
【０００８】
上記目的を達成するために、本発明は、通信手段を有する第１筐体と、撮像手段を有する第２筐体とが着脱自在とされ、一方の筐体は、情報を入力する入力手段を備え、他方の筐体は、筐体固有の固有情報を保有し、前記第１筐体と前記第２筐体とを接続したときに、前記入力手段からの入力情報と前記固有情報とに基づいて、前記撮像手段の動作を許可するか拒否するかを決定する決定手段が、２つの筐体のうちいずれか一方の筐体に設けられたことを特徴とする。
【０００９】
上記構成によると、決定手段は、入力情報と固有情報とを確認し、第１筐体と第２筐体とが対となるものであるかを判断する。その結果、対であると判断したときは、撮像手段の動作を許可する。対でないと判断したときは、撮像手段の動作を拒否する。
【００１０】
ここで、決定手段が一方の筐体にあるとき、決定手段は、他方の筐体から固有情報を取得する。決定手段が他方の筐体にあるとき、決定手段は、一方の筐体から入力情報を取得する。
【００１１】
例えば、決定手段が第１筐体にあるとき、決定に応じた信号が第２筐体に出力される。第２筐体では、第１筐体からの信号に応じて撮像手段の動作が制御される。決定手段が、第２筐体にあるとき、撮像手段は、決定手段の指示にしたがって動作する、あるいは、動作しない。
【００１２】
したがって、正規の第２筐体が第１筐体に接続されたときには、第２筐体は機能する。しかし、正規でない第２筐体が第１筐体に接続されると、第２筐体は機能せず、不正な使用を防げる。これによって、携帯情報端末が保有する情報の漏洩を防止でき、筐体を分離できる構造であっても、セキュリティの向上を図れる。
【００１３】
具体的には、第１筐体に、入力手段および決定手段を備え、第２筐体に、固有情報を記憶したメモリを備える。決定手段は、前記第１筐体と前記第２筐体とを接続したときに、前記第２筐体のメモリから前記固有情報を取得して、入力手段から入力した入力情報と前記固有情報とが関連するかを判断する。前記入力情報と前記固有情報とが関連すると判断したときに撮像手段の動作を許可する。
【００１４】
ここで、固有情報とは、第１筐体と第２筐体とが対となるものかを認識するための情報であって、例えば、パスワード、静脈・虹彩・指紋と言った生体情報、携帯通信端末独自のシリアル番号等である。
【００１５】
上記構成によると、第２筐体を第三者の第１筐体に接続した場合、撮像手段は動作しない。したがって、第２筐体に記憶された個人情報、あるいは、撮像した画像や映像等が第三者に漏洩することを防止できる。
【００１６】
また、通信手段を有する第１筐体と、撮像手段を有する第２筐体とを分離することができるため、例えば、撮像を禁止されている区域に入る場合、第２筐体のみを取り外して預けることができる。そのため、財布代わりとなるＩＣチップや個人情報が記憶されたメモリ等が備えられた第１筐体を、他人に預ける必要がない。また、第１筐体は、第２筐体を取り外したときでも通信できる。
【００１７】
また、通信手段を有する第１筐体と撮像手段を有する第２筐体とが着脱自在とされ、前記第２筐体に、接触式あるいは非接触式のＩＣチップが設けられ、前記ＩＣチップに、あらかじめ筐体固有の固有情報が入力され、前記第１筐体と前記第２筐体とを接続したときに、前記固有情報に基づいて前記撮像手段の動作を許可するか拒否するかを決定する決定手段が、前記第１筐体に設けられたことを特徴とする。
【００１８】
上記構成により、第１筐体に第２筐体を接続したとき、決定手段は、第２筐体のＩＣチップに記憶された固有情報を取得して、第２筐体の使用の可否を決める。ＩＣチップを利用することにより、使用者がパスワードを入力する手間を省くことができる上、使用者はパスワードを常に覚えておく必要がない。さらに、ＩＣチップに記憶された固有情報を読み取ることで撮像手段の動作を許可するか拒否するかを決定することができるので、第三者にパスワード等の固有情報を盗み取られることを防止できる。
【００１９】
また、第１筐体に、情報を入力する入力手段と、決定手段が動作を許可したときに前記入力手段からの入力情報を認証して、前記撮像手段を起動する起動手段とが設けられたことを特徴とする。
【００２０】
上記構成によると、決定手段は、第２筐体のＩＣチップに記憶された固有情報を取得して、第２筐体の使用を許可する。このとき、撮像手段を使用できないように制限しておく。入力手段から情報が入力されると、起動手段は、入力情報に基づいて、撮像手段を起動させるか否かを判断する。入力情報が認証されたとき、撮像手段に起動信号を出力して動作可能とする。認証できなかったときは、撮像手段の動作を禁止する。
【００２１】
これにより、第２筐体の動作を開始させるのに２重のチェックを行なうことができる。第三者が携帯通信端末を不正煮入手したとき、入力情報が認証されないで第２筐体の使用を禁止することができ、セキュリティ性が向上する。
【００２２】
また、第１筐体に、サブ表示装置が設けられ、第２筐体に、メイン表示装置が設けられ、前記第１筐体と前記第２筐体とが接続しているとき、通信に関する情報は、前記メイン表示装置に表示され、前記第１筐体を単独で使用しているとき、通信に関する情報は、前記サブ表示装置に表示されることを特徴とする。
【００２３】
上記構成によると、第２筐体を取り外したときでも、電話やメールを使用する際に入力部から入力された文字や数字を簡易的に表示することできるので、電話番号やメールの内容等の確認に役に立つ。
【００２４】
また、第１筐体および第２筐体に、スピーカが設けられ、前記第１筐体と前記第２筐体とが接続しているとき、前記第２筐体のスピーカから音声が出力され、前記第１筐体を単独で使用しているとき、前記第１筐体のスピーカから音声が出力されることを特徴とする。
【００２５】
上記構成によると、第２筐体が接続されているときは、第２筐体のスピーカから音声が出力され、第２筐体を外しているときは、第１筐体側のスピーカから音声が出力される。これにより、第２筐体を取り外し、第１筐体のみで通話することできる。
【００２６】
また、第１筐体に、電源が設けられ、前記第１筐体と前記第２筐体とが接続しているとき、撮像手段を動作させるための電力が前記電源から供給されることを特徴とする。
【００２７】
上記構成によると、第２筐体は動作するための電力を有さないので、第２筐体は、第１筐体から取り外すことによって、その機能は停止する。そのため、第２筐体単体で使用することができない。例えば、第三者に預けた場合でも、第２筐体側に記録された個人の電話番号や住所等の個人情報、あるいは、撮像手段で撮像した画像や映像等が第三者に漏洩することがない。
【００２８】
また、第１筐体に、第２筐体を接続するための接続端子が設けられ、前記接続端子は、外部の表示装置と接続可能とされたことを特徴とする。この構成によると、他の大型の表示装置を接続することができるので、画像、映像、文字等をよりはっきりと見ることができる。
【発明の効果】
【００２９】
以上のように、本発明によれば、第１筐体と第２筐体とが間違って接続されたとき、あるいは、不正使用を目的として意図的に第１筐体と第２筐体とが接続されたときに、第２筐体は正規なものであると認証されない。したがって、第２筐体が機能せず、正常な使用ができない。これによって、不正な使用を防止できるとともに、個人情報等の漏洩を防止できる。
【００３０】
また、撮像手段を備えた携帯通信端末の持ち込みが禁止になっている区域に入る際、第１筐体から撮像手段を備えた第２筐体を取り外して預けることが可能となる。そのため、撮影が制限されている区域内においても第１筐体のみで電話機としての使用が可能となる。さらに、電子マネーによるキャッシング可能なＩＣチップが内蔵されている部分を他人に預ける必要もなくなるため、セキュリティの観点からも有効となる。
【発明を実施するための最良の形態】
【００３１】
〔第１実施形態〕
以下、本発明に係る携帯通信端末について説明する。なお、本発明を説明するにあたり、携帯通信端末の実施形態は、撮像手段を備えた携帯電話を例に説明する。
【００３２】
第１実施形態の携帯電話は、図１〜図４に示すように、通信手段を備えた第１筐体１と、撮像手段であるカメラを備えた第２筐体２とから構成されるカメラ付携帯電話である。このカメラ付携帯電話は、第１筐体１と第２筐体２とが着脱可能な構造とされる。
【００３３】
第１筐体１は、小型液晶等のサブ表示装置であるサブ表示部３と、ボタンスイッチ群の入力手段である入力部４と、通話のためのマイク５およびサブスピーカ６と、基地局と無線通信を行なうためのアンテナ７および基地局通信回路８と、情報を記憶する記憶部９と、これらを制御するメイン制御部１０と、電力を供給する電源である充電池１１とを備える。
【００３４】
メイン制御部１０は、ＲＡＭ、ＲＯＭおよびＣＰＵを有するマイクロコンピュータである。
【００３５】
第２筐体２は、ＴＦＴ液晶等のメイン表示装置であるメイン表示部１２と、静止画や動画等を撮影するカメラ１３と、音声出力用のメインスピーカ１４と、情報を記憶するメモリ１５と、メイン制御部１０からの指示に従ってそれらを制御するサブ制御部１６とを備える。なお、カメラ１３は、画像や映像を撮影する撮像手段であって、ＣＣＤあるいはＣＭＯＳ等の電子式の画像入力素子である撮像素子と、レンズおよびレンズカバーと、ランプとから構成される。
【００３６】
メモリ１５は、入力部４から入力された情報、あるいは、カメラ１３で撮影した静止画や動画等の映像等を記憶する。
【００３７】
第２筐体２の一端側には、ヒンジ１９が設けられる。第２筐体２は、第１筐体１に対して折畳み可能となる。このヒンジ１９の端部に第２接続部１８が設けられ、第１筐体１の端部に第１接続部１７が設けられる。この第１接続部１７と第２接続部１８とを介して、第１筐体１と第２筐体２とが着脱される。
【００３８】
第１接続部１７は、導電性を有するピンとされる。第２接続部１８は、ピン１７が嵌る孔とされる。孔１８の内部に、ピン１７と接触する導電端子が設けられる。第１接続部１と第２接続部２とが接続されたとき、両者を通じて信号が流れ、また、第１筐体１から第２筐体２に電力が供給される。
【００３９】
また、ヒンジ１９には、貫通穴２０が形成される。この貫通穴２０は、接続部１７，１８同士を接続したときに、第１筐体１に設けられたアンテナ７が外部に突出するためのものであって、アンテナ７の直径よりも大きく開口している。
【００４０】
その他は、従来の携帯電話と同様の構造とされるので、詳細な説明は省略する。
【００４１】
上記構成のカメラ付携帯電話は、通常、第１筐体１と第２筐体２とが一体的に接続されて、使用される。第１筐体１と第２筐体２とが接続された状態では、情報（電話帳、時刻等）やメールの表示、あるいは、映像や画像の表示は、第２筐体２のメイン表示部１２で行なう。通話は、第１筐体１のマイク５と第２筐体２のメインスピーカ１４とで行なう。
【００４２】
一方、第１筐体１から第２筐体２を取り外した状態、すなわち、第１筐体１のみで使用する場合、情報（電話帳、時刻等）の表示、あるいは、メール表示は、第１筐体１のサブ表示部３で行なう。通話は、第１筐体１のマイク５とサブスピーカ６とで行なう。このとき、第２筐体２は、第１筐体１の充電池１１からの電力を受電することができないので、動作を停止する。
【００４３】
また、第１筐体１と第２筐体２とが接続されると、メイン制御部１０の決定手段によって、第２筐体２のカメラ１３の動作を許可するか否かを決定する。詳しくは、決定手段は、入力部４からの入力情報とメモリ１５に保存されている固有情報とを確認して、第１筐体１と第２筐体２とが対となるものであるかを確認する。この確認において対であると判断したときはカメラ１３の動作を許可し、対でないと判断したときは第２筐体２の動作を禁止する。
【００４４】
ここで、固有情報とは、第１筐体１と第２筐体２とが対となるものかを認識するための情報であって、例えば、パスワード、静脈・虹彩・指紋と言った生体情報、携帯通信端末独自のシリアル番号等である。なお、本実施形態においては、英数字を羅列したパスワードを固有情報として使用する。
【００４５】
次に、第１筐体１と第２筐体２の接続について説明する。第１筐体１と第２筐体２とが接続されると、第２筐体２は、充電池１１からの電力を受電してメイン表示部１２およびサブ制御部１６が起動する。サブ制御部１６は、メイン制御部１０に起動したことを知らせる。メイン制御部１０は、サブ制御部１６が起動したのを確認すると、使用者に対してパスワードの入力を要求する。このとき、メイン制御部１０は、サブ制御部１６を介して、パスワードの要求をメイン表示部１２に表示させる。
【００４６】
次いで、パスワードが入力部４から入力されると、メイン制御部１０は、入力されたパスワードとメモリ１５に保存されたパスワードとを照合する。照合結果が一致したら、カメラ１３の使用を許可する。不一致の場合は、カメラ１３の使用を禁止すると同時に、第２筐体２への電力の供給を遮断し、第２筐体２の使用を禁止する。
【００４７】
これにより、第１筐体に対して正規でない第２筐体が接続したとしても、パスワードが一致しない限り第２筐体２の機能を動作させることができないので、第２筐体２に記憶された情報が漏洩することを防ぐことができる。
【００４８】
なお、本実施形態において、入力されたパスワードとメモリ１５から読み出したパスワードが不一致の場合、カメラ１３の使用を禁止と同時に、第２筐体２への電力の供給を遮断し、第２筐体２の使用を禁止しているが、特にこの限りではない。カメラ１３のみ動作を停止させてもよい。また、メモリ１５あるいは記憶部９に対するアクセスを遮断させてもよい。
【００４９】
〔第２実施形態〕
本発明に係る第２実施形態について説明する。本実施形態のカメラ付携帯電話は、入力手段を第２筐体２に備え、決定手段を第１筐体１に備える。すなわち、入力手段はカメラ１３となる。これにより、第１筐体１に対して接続された第２筐体２が正規のものであるかを確認するには、カメラ１３によって入力された静脈・虹彩・指紋と言った生体情報で行なうことができる。固有情報を、静脈・虹彩・指紋と言った生体情報にすることで、使用者がパスワードを覚える必要が無い上、第三者に盗み取られる問題がない。なお、この固有情報は、あらかじめカメラ１３によって入力し、記憶部９に保存しておく。
【００５０】
次に、第１筐体１と第２筐体２の接続について説明する。第１筐体１と第２筐体２とが接続されると、メイン制御部１０は、使用者に対して生体情報の入力を要求する。このとき、メイン制御部１０は、サブ制御部１６を介して、生体情報の入力要求をメイン表示部１２に表示させる。
【００５１】
カメラ１３を動作させ、生体情報を取得する。メイン制御部１０は、カメラから入力された生体情報と記憶部９に保存されている生体情報とを照合し、照合結果が一致したら、カメラ１３の使用を許可する。不一致の場合は、カメラ１３の使用を禁止すると同時に、第２筐体２への電力の供給を遮断し、第２筐体２の使用を禁止する。
【００５２】
〔第３実施形態〕
本発明に係る第３実施形態について説明する。本実施形態のカメラ付携帯電話は、入力手段を第１筐体１に備え、決定手段を第２筐体２に備える。すなわち、決定手段は、サブ制御部１６に備えられる。そのため、メイン制御部１０の負荷を低減することができる。これにより、メイン制御部１０を高性能なコンピュータとする必要がなく、コストを削減することができる。なお、固有情報は、第２筐体２のメモリ１５に保存される。
【００５３】
次に、第１筐体１と第２筐体２の接続について説明する。第１筐体１と第２筐体２とが接続されると、メイン制御部１０は、使用者に対してパスワードの入力を要求する。このとき、メイン制御部１０は、サブ制御部１６を介して、パスワードの要求をメイン表示部１２に表示させる。
【００５４】
次いで、メイン制御部１０は、入力部４から入力されたパスワードをサブ制御部１６に送信する。サブ制御部１６は、メイン制御部１０から受信したパスワードとメモリ１５から読み出したパスワードとを照合し、照合結果が一致するかを判断し、その判断結果をメイン制御部１０に送信する。メイン制御部１０は、受信した判断結果が一致の場合、カメラ１３の使用を許可する。不一致の場合は、カメラ１３の使用を禁止すると同時に、第２筐体２への電力の供給を遮断し、第２筐体２の使用を禁止する。
【００５５】
〔第４実施形態〕
本発明に係る第４実施形態について説明する。本実施形態のカメラ付携帯電話は、入力手段および決定手段を第２筐体に備える。すなわち、入力手段は、カメラ１３となり、決定手段は、サブ制御部１６に備えられる。この構成により、静脈・虹彩・指紋と言った生体情報を入力情報とすることができる上、メイン制御部１０を高性能なコンピュータにする必要がない。そのため、パスワードを覚える必要が無く、第三者に盗み取られる問題がない。さらに、コストを削減することができる。なお、固有情報は、第１筐体１の記憶部９に保存される。
【００５６】
次に、第１筐体１と第２筐体２の接続について説明する。第１筐体１と第２筐体２とが接続されると、メイン制御部１０は、使用者に対して生体情報の入力を要求する。このとき、メイン制御部１０は、サブ制御部１６を介して、生体情報の入力要求をメイン表示部１２に表示させる。
【００５７】
次いで、サブ制御部１６は、カメラ１３から入力された生体情報と記憶部９に保存された生体情報とを照合し、照合結果が一致するかを判断し、その判断結果をメイン制御部１０に送信する。メイン制御部１０は、受信した判断結果が一致の場合、カメラ１３の使用を許可する。不一致の場合は、カメラ１３の使用を禁止すると同時に、第２筐体２への電力の供給を遮断し、第２筐体２の使用を禁止する。
【００５８】
〔第５実施形態〕
本発明に係る第５実施形態について説明する。本実施形態のカメラ付携帯電話は、図５に示すように、第１筐体１に決定手段を備え、第２筐体２にＩＣチップ２１を備える。このＩＣチップ２１は、カメラ付携帯電話固有のシリアルナンバや、あらかじめ決められたパスワード等が記憶されている。そのため、第１筐体１と第２筐体２とが接続されることで、決定手段は、第２筐体２のＩＣチップに記憶された固有情報を取得し、第２筐体の使用の可否を決めることができる。なお、ＩＣチップ２１は、接触式あるいは非接触式のいずれであってもよい。第１筐体１には、ＩＣチップ２１と通信するための通信インターフェイスが設けられている。
【００５９】
次に、第１筐体１と第２筐体２の接続について説明する。第１筐体１と第２筐体２とが接続されると、メイン制御部１０は、ＩＣチップ２１に記憶された固有情報を読み出す。メイン制御部１０は、ＩＣチップ２１からの固有情報と記憶部９にあらかじめ保存されている固有情報と照合し、照合結果が一致する場合、カメラ１３の使用を許可する。不一致の場合は、カメラ１３の使用を禁止すると同時に、第２筐体２への電力の供給を遮断し、第２筐体２の使用を禁止する。
【００６０】
このＩＣチップ２１を利用することにより、使用者がパスワードを入力する手間を省くことができる上、使用者はパスワードを常に覚えておく必要がない。さらに、ＩＣチップ２１に記憶された固有情報を読み取ることでカメラ１３の動作を許可するか拒否するかを決定することができるので、第三者に固有情報を盗み取られることを防止できる。
【００６１】
そして、メイン制御部１０は、決定手段が正規の第２筐体２が接続されたことを認識した後、入力部４からの入力情報を確認し、その確認結果からカメラ１３を起動させる起動手段を備える。
【００６２】
正規の第２筐体２であることが認識されたとき、第２筐体２の動作は許可される。しかし、カメラ１３は動作させない。このとき、メイン表示部１２が動作され、通信時や通話時等の表示がされる。
【００６３】
メイン制御部１０は、使用者に対してパスワードの入力を要請する。入力部４から入力されたパスワードが記憶部９に保存されている起動用パスワードと一致する場合、カメラ１３を起動させる。不一致の場合は、カメラ１３の使用を禁止する、第２制御部２では、カメラ１３以外の機能は使用可能である。
【００６４】
これにより、第２筐体１の動作を開始させるのに２重のチェックを行なうことができる。第１筐体１と第２筐体２とが第三者によって接続されたとしても、パスワードが一致しない場合は、カメラ１３は動作しない。
【００６５】
上記の各実施形態の携帯電話において、図６に示すように、第１筐体１に対して、第２筐体２のメイン表示部１２だけでなく別の大型の表示装置２２を接続することも可能となるように、接続部２３をＵＳＢと言った一般的な接続端子としている。なお、その他の構成は、第１〜第５実施形態と同じである。
【００６６】
一般的に、携帯電話の表示装置は、持ち運びの利便性の観点からある一定以上に大きくしたり、重くしたりすることができないのが現状である。しかし、第１筐体１および第２筐体２の接続部２３を一般的な接続端子とすることで、図６に示すように、大画面で見たい時だけ別の大画面の表示装置２２を接続することができる。これにより、使用者は、画像、映像、文字等をよりはっきりと見ることができる。
【００６７】
図７〜図９に示すように、カメラ１３のみを着脱可能とする。すなわち、第２筐体２がカメラ１３とされる。このとき、第１筐体１には、メイン表示部１２が備えられる。これにより、カメラ１３のみを取り外すことができるため、メイン表示部１２は従来どおり使用することができる。その他の構成は、第１〜第５実施形態と同じである。
【００６８】
なお、このカメラ１３のみを取り外す構造は、図７〜図９のような形態に限られるものではない。カメラ１３のＣＣＤカメラ部分をカメラ付携帯電話の本体から切り離し可能としてもよい。この場合、カメラ１３を使用する時は、取り外したＣＣＤカメラ部分を接続し、パスワードを確認して使うことも考えられる。
【００６９】
図１０に示すように、接続部２４の形状は、対となる筐体の接続部としか接続できないように特殊な形状にする接続部２４は、携帯電話ごとに異なることになる。これにより、決められた筐体同士でしか接続することができない。
【００７０】
また、この携帯電話においても、第１筐体１と第２筐体２とを接続する際、パスワードによる認証をする。これにより、携帯電話自体を第三者に盗まれたとしても、パスワードが認証されない限り第２筐体２は使用できない。
【００７１】
なお、本発明は、上記実施形態に限定されるものではなく、本発明の範囲内で修正・変更を加えることができるのは勿論である。例えば、上記実施形態では、カメラ機能がついた携帯電話について説明したが、カメラを備えたノート型パソコンやＰＤＡ、あるいは、一般的なモバイル機器であってもよい。
【図面の簡単な説明】
【００７２】
【図１】本発明の第１実施形態に係るカメラ付携帯電話の正面斜視図
【図２】第１実施形態に係るカメラ付携帯電話の背面斜視図
【図３】第１実施形態に係る第１筐体と第２筐体とが分離したときの正面斜視図
【図４】第１実施形態に係るカメラ付携帯電話のブロック図
【図５】本発明の第５実施形態に係るカメラ付携帯電話のブロック図
【図６】本発明の第１〜第５実施形態に係るカメラ付携帯電話に外部の表示装置を取り付ける場合の正面斜視図
【図７】本発明の第１〜第５実施形態に係るカメラ付携帯電話の正面斜視図
【図８】図７のカメラ付携帯電話の背面斜視図
【図９】図７のカメラ付携帯電話に係る第１筐体と第２筐体とが分離したときの正面斜視図
【図１０】本発明の第１〜第５実施形態に係るカメラ付携帯電話の第１筐体と第２筐体とが分離したときの正面斜視図
【符号の説明】
【００７３】
１      第１筐体
２      第２筐体
３      サブ表示部
４      入力部
５      マイク
６      サブスピーカ
７      アンテナ
８      基地局通信回路
９      記憶部
１０    メイン制御部
１１    充電池
１１ａ  充電回路
１２    メイン表示部
１３    カメラ
１４    メインスピーカ
１５    メモリ
１６    サブ制御部
１７    第１接続部
１８    第２接続部
１９    ヒンジ
２０    貫通穴
２１    ＩＣチップ
２２    他の表示装置
２３    接続部
２４    接続部
【図１】
2007235320.tif 000003
【図２】
2007235320.tif 000004
【図３】
2007235320.tif 000005
【図４】
2007235320.tif 000006
【図５】
2007235320.tif 000007
【図６】
2007235320.tif 000008
【図７】
2007235320.tif 000009
【図８】
2007235320.tif 000010
【図９】
2007235320.tif 000011
【図１０】
2007235320.tif 000012